(57)【要約】【解決手段】  大きな長さのリング精紡機内における例えばスレッドガイドフラップ７のような作業器具のための、部分３、４に分割されている回転可能な支持管体５を、回転不能に、且つ僅かに互いに位置移動可能に互いに結合するために、これら部分３、４の端部１、２内へとピン状部８を挿入すること、これらピン状部８の端面が、断面において扇形の延長部１０１  、１０２  、１０３  、１０４  を有しており、これら延長部が、互い違いにずらされた状態で、互いの中へ差込み可能である。これら延長部１０１  、１０２  、１０３  、１０４  は、全深さにおいて互いの中へ係合してなく、従って、これら部分は、僅かに互いに位置移動可能に留まっている。これら延長部１０１  、１０２  、１０３  、１０４  の側面の間で、交差する、緩衝する、且つ磨耗を阻止する緩衝板１２、１３が挿入され得る。これら延長部１０１  、１０２  、１０３  、１０４  の外周面は、軸受半割りシェル１４内において軸受けされている。これら部分３、４を、機械長手方向内において位置調節可能とするために、これら軸受半割りシェル１４の内の１つの軸受半割りシェルが、カラー部１７を備えられており、このカラー部が、これらピン状部８の内の一方のピン状部の溝部１８内へと係合している。
2009507142.tif 000002
【特許請求の範囲】
【請求項１】
精紡機のための、特にリング精紡機におけるスレッドガイドフラップのための回転可能な支持管体であって、
この支持管体の部分が、回転不能に、且つ個別に、軸線方向に位置調節可能な連行体でもって結合されており、且つ、これら部分の間で、軸受内において回転可能に軸受けされている様式の上記回転可能な支持管体において、
連行体が、支持管体（５）の部分（３、４）の端部（１、２）内へと差込み可能な、且つ固定可能なピン状部（８）から成り、
これらピン状部の相対して整向された端面側が、それぞれ２つの、互いの中へ係合する、断面において扇形の延長部（１０１  、１０２  、１０３  、１０４  ）を有しており、その際、
軸受（１４、１５、１６）が、軸線方向に位置調節可能であり、且つ、カラー部（１７）を有しており、
このカラー部が、これらピン状部（８）の内の一方のピン状部の溝部（１８）内へと係合しており、且つ従って、このピン状部の、およびこのピン状部と結合されたこれら部分（３、４）の、軸線方向の位置が固定されていることを特徴とする回転可能な支持管体。
【請求項２】
延長部（１０１  、１０２  、１０３  、１０４  ）の半径方向の面（１１）は、２つの、交差する緩衝板（１２、１３）が挿入可能な程度に後退させられていることを特徴とする請求項１に記載の回転可能な支持管体。
【請求項３】
緩衝板（１２、１３）は、衝撃を緩衝されていることを特徴とする請求項２に記載の回転可能な支持管体。
【請求項４】
緩衝板（１２、１３）は、耐摩耗性であることを特徴とする請求項２に記載の回転可能な支持管体。
【請求項５】
両方のピン状部（８）の延長部（１０１  、１０２  、１０３  、１０４  ）は、延長部が、および従って支持管体（５）の部分（３、４）が、僅かに軸線方向に互いに位置移動可能である程度に、全深さ内において、互いの中へ係合していないことを特徴とする請求項１に記載の回転可能な支持管体。
【請求項６】
延長部（１０１  、１０２  、１０３  、１０４  ）の円筒形の面は、軸受（１４、１５、１６）によって旋回可能に収容されていることを特徴とする請求項１に記載の回転可能な支持管体。
【請求項７】
軸受（１５、１６）は、それぞれに２つの軸受半割りシェル（１４）を有していることを特徴とする請求項１に記載の回転可能な支持管体。
【発明の詳細な説明】
【技術分野】
【０００１】
本発明は、特にリング精紡機におけるスレッドガイドフラップのための回転可能な支持管体であって、
この支持管体の部分が、回転不能に、且つ個別に、軸線方向に位置調節可能な連行体でもって結合されており、且つ、これら部分の間で、軸受内において回転可能に軸受けされている様式の上記支持管体に関する。
【背景技術】
【０００２】
リング精紡機におけるスレッドガイドフラップは、これらスレッドガイドフラップが機械の全作業領域にわたって延在する、ほぼ９０°だけ旋回可能である支持管体に固定されているというやり方で、個々に、しかしながら同様に集団でも開閉可能である。この支持管体は、多くの場合、回転不能に、且つ、限定された状態で軸線方向に位置移動可能に互いに結合されている、部分から成っている。結合部材として、通常はピン状部が使用され、これらピン状部が、管体端部内へと差込み可能であり、且つ、これら部分と強固にねじ止め可能であり、または、軸線方向の長手孔を介して回転不能に、軸線方向に位置移動可能に結合されている。この支持管体は、この機械に沿って、幾重にも回転可能に軸受けされている。
【０００３】
ドイツ連邦共和国特許出願公開第１９５  ０３  ０４２号明細書（特許文献１）は、支持管体に装着されたスレッドガイドフラップを、上方に旋回された状態で示している。イツ連邦共和国実用新案第７７  １２  ５６２号明細書（特許文献２）は、他の、織物機械の、支持管体において開閉可能な作業器具の一例、即ちアンチバルーニングリングの潤滑のためのアームを示している。
【０００４】
ドイツ連邦共和国特許出願公開第４１  ２５  ２５２号明細書（特許文献３）は、２つの軸の部片の間の連結装置を開示しており、これら部片の端面側が、互いの中へ差込み可能な形状賦与形態を有している。ヨーロッパ特許出願公開第０  ００８  ９９５号明細書（特許文献４）内において、管体内に差込み可能な形状部片が示されている。これら傾斜を付けられた面が、回転負荷の際に、この管体に対して摺動作用を及ぼすので、これら面は、ただ特別な場合にだけ使用可能である。
【０００５】
ドイツ連邦共和国特許出願公開第３２  ４２  ８９３号明細書（特許文献５）は、穿孔モータのための迅速解放連結装置に関している。この装置は、この装置から如何なる示唆もこの本願発明の意味において察知され得ない程に、本願発明の主題から遠くに位置している。
【０００６】
スレッドガイドフラップのための支持体として、同様に、支持ロッド、または、機械に沿って延在するその他の構造部材も使用され得ることは自明のことである。以下で、従って支持管体という言い方をされた場合、これに伴って、同様に常に他の適当と思われる構造部材も意味されている。
【０００７】
支持管体の部分は、互いに回転不能に結合されているべきであり、しかしながら、軸線方向に位置調節可能であるべきである。
【特許文献１】ドイツ連邦共和国特許出願公開第１９５  ０３  ０４２号明細書
【特許文献２】ドイツ連邦共和国実用新案第７７  １２  ５６２号明細書
【特許文献３】ドイツ連邦共和国特許出願公開第４１  ２５  ２５２号明細書
【特許文献４】ヨーロッパ特許出願公開第０  ００８  ９９５号明細書
【特許文献５】ドイツ連邦共和国特許出願公開第３２  ４２  ８９３号明細書
【発明の開示】
【発明が解決しようとする課題】
【０００８】
従って、本発明の課題は、これら部分を、遊隙無しに、回転不能に互いに結合すること、および、それぞれの個別の部分を、２つの接し合って当接する部分を収容する軸受を介して、軸線方向に位置調節可能とすることである。
【課題を解決するための手段】
【０００９】
この課題は、請求項１の典型的な特徴部内において記述された特徴でもって解決される。支持管体の部分の端部に挿入された連行体における延長部によって、簡単な、しかしながら遊隙の無い、これら部分の結合が達成される。これら延長部は、同様に、これら部分の端部の、限定された状態での軸線方向の位置移動可能性も相互に許容し、この位置移動可能性によって、これら部分の間の許容差および熱膨張が補償される。それに対して、軸線方向に位置調節可能な軸受と、これらピン状部の内の一方のピン状部との間の、カラー／溝部−結合によって、所属するこの部分の軸線方向に位置は固定される。
【発明の効果】
【００１０】
これら延長部の間に挿入可能な緩衝板は、衝撃を緩衝し、音響の伝播を遮断し、且つ、連行体における磨耗を防止する。
【００１１】
図示された図において、本発明の１つの実施例が、概略的に示されている。
【発明を実施するための最良の形態】
【００１２】
図１内において、支持管体５の、２つの部分３および４の、互いに向かい合わされた両方の端部１および２が認識可能であり、この支持管体の上に、スピンドルの上方に設けられたスレッドガイドフラップ７が、旋回可能に軸受けされており、且つ、個々にほぼ９０°だけ、上方に旋回可能である。１つの機械側面のこの支持管体のこれら部分は、回転に対して互いに結合されており、従って、この支持管体の回転によって、ほぼ９０°だけ、全てのスレッドガイドフラップが、共に、上方に傾倒可能である。このことは、例えば、自動的なボビン交換装置を用いての、全てのボビンの、共通の引出しのために必要である。この支持管体５の旋回運動は、機械のスターと時に、図示されていない周知の旋回装置によって行われる。
【００１３】
支持管体５の部分３と部分４との間の回転連結を形成するために、これら部分の端部１、２内に、ピン状部８の様式の連行体が差込まれ、且つ、２つの、単にそれらネジの中心線９だけによって示唆されているネジを用いて固定されている。
【００１４】
ピン状部のそれぞれの端部は、２つの、１８０°だけ互い違いにずらされた状態の、扇形の延長部１０１  および１０２  、もしくは１０３  および１０４  を担持しており、これら延長部が、互い違いにずらされた状態で、互いの中へ差込まれ得る。これら延長部の側面１１は、これら側面の間に、２つの、交差する緩衝板１２および１３が挿入可能な程度に後退させられている。
【００１５】
図１内において、上方に、部分３内においてピン状部８に装着している延長部１０１  が、下方に、部分２内においてこのピン状部に装着している延長部１０４  が図示されている。これら両方の延長部の間に、緩衝板１２が位置している。これら両方の延長部の後方に、他方の緩衝板１３が位置しており、且つ、この緩衝板１３の後方に、他方の延長部１０２  および１０３  が位置している。両方の緩衝板１２、１３は、これら緩衝板の中心において、切欠き部を有しており、この切欠き部が、これら緩衝板と同じ位の幅であり、且つ、当該の緩衝板の中心に至るまで延在している。これら緩衝板は、従って、交差された状態で、互いの中へ差込まれ得る。これら緩衝板は、４つの延長部の間で、遊隙無しに位置している。
【００１６】
延長部１０の円筒形の外側面は、軸受半割りシェル１４内において位置しており、これら軸受半割りシェルが、ねじ固定可能な蓋１６を有する軸受体１５内において保持されている。これら軸受半割りシェル１４は、片側で、カラー部１７を有しており、このカラー部が、ピン状部８の内の一方のピン状部内における、ここで部分３内において位置している溝部１８内へと係合している。このカラー／溝部−結合は、このピン状部８の、およびこのピン状部と結合されている支持管体の部分３の、軸線方向の位置を固定し、これに対して、他方の支持管体の部分４が、僅かに軸線方向に位置移動可能に留まっている。即ち、これら延長部１０は、全深さ内において、これら延長部の間の空隙内へと係合していない。
【００１７】
溝部１８は、均一性のために、両方のピン状部８に設けられており、これに対して、端部２内において位置する溝部は如何なる機能も有していない。運動学的反転において、軸受半割りシェル１４が、溝部を有していることも可能であり、この溝部内へと、これらピン状部８の内の一方のピン状部のカラー部が係合することは、自明のことである。
【００１８】
支持管体の部分本発明による結合は、類似の諸要件がこれら構造部材に課せられている場合、もちろん同様に精紡機の他の構造部材との結合においても使用され得る。
【図面の簡単な説明】
【００１９】
【図１】連行体およびこの連行体の収容部をを共に示した、スレッドガイドのための、支持管体の２つの部分の間の切り開かれた軸受部分の図である。
【図２】図１の面I−I内における、軸受部の断面図である。
【符号の説明】
【００２０】
１    支持管体の部分の端部
２    支持管体の部分の端部
３    支持管体の部分
４    支持管体の部分
５    支持管体
７    スレッドガイドフラップ
８    ピン状部
９    固定ネジ
１０  連行体
１１  連行体の半径方向の面
１２  緩衝板
１３  緩衝板
１４  軸受半割りシェル
１５  軸受体
１６  軸受蓋
１７  カラー部
１８  溝部
【図１】
2009507142.tif 000003
【国際調査報告】
2009507142.tif 000004
2009507142.tif 000005
2009507142.tif 000006
2009507142.tif 000007
2009507142.tif 000008
2009507142.tif 000009